(57)【要約】【課題】  迅速且つ確実にエアゾール容器中の内容物を連続噴射することができるエアゾール容器用トリガーキャップ及びエアゾール装置を提供する。【解決手段】  エアゾール容器用トリガーキャップ１は、ステム１７の傾斜により内容物を噴射するチルトバルブを備えたエアゾール容器１５のマウンテンカップ部１６に冠着されるカバー部材２と、ステム１７の上端に嵌合させるステム嵌合筒１１をトリガー本体１２中央部から垂設し、且つ該トリガー本体１２前部から射出筒１２ａを前方に突設して、該射出筒１２ａ下部からトリガー１４を垂設すると共に、カバー部材２後部に揺動自在に連結させたトリガー付き噴霧部材９と、を備える。カバー部材２前部の一方の側壁部６に形成した切り込み８により、水平方向へ折り曲げ可能に形成された折り曲げ片７は、折り曲げた時にトリガー付き噴霧部材９の射出筒１２を押し下げてそれを押し下げ位置に保持する。【選択図】  図３
2005335787.tif 000002
【特許請求の範囲】
【請求項１】
ステムの傾斜により内容物を噴射するチルトバルブを備えたエアゾール容器のマウンテ
ンカップ部に冠着されるカバー部材と、
前記ステムの上端に嵌合させるステム嵌合筒をトリガー本体中央部から垂設し、且つ該
トリガー本体前部から射出筒を前方に突設して、該射出筒下部からトリガーを垂設すると
共に、前記トリガー本体後部を前記カバー部材後部に揺動自在に連結させたトリガー付き
噴霧部材と、
前記カバー部材前部に形成した切り込みにより折り曲げ可能に形成され、折り曲げた時
前記トリガー付き噴霧部材の射出筒を押し下げてそれを押し下げ位置に保持する折り曲げ
片と、を備えたエアゾール容器用トリガーキャップ。
【請求項２】
前記折り曲げ片が、前記カバー部材前部の側壁部に形成した切り込みにより水平方向へ
折り曲げ可能に形成されており、該折り曲げ片の下方側端部が前記トリガー付き噴霧部材
の射出筒を押し下げることを特徴とする請求項１に記載のエアゾール容器用トリガーキャ
ップ。
【請求項３】
前記折り曲げ片が、前記カバー部材前部の上壁部に形成した切り込みにより鉛直下へ折
り曲げ可能に形成されており、該折り曲げ片の揺動先端部が前記トリガー付き噴霧部材の
射出筒を押し下げることを特徴とする請求項１に記載のエアゾール容器用トリガーキャッ
プ。
【請求項４】
前記請求項１乃至３のいずれかに記載のエアゾール容器用トリガーキャップを備えたこ
とを特徴とするエアゾール装置。
【発明の詳細な説明】
【技術分野】
【０００１】
本発明は、エアゾール容器用トリガーキャップ及びエアゾール装置に関し、特に、エア
ゾール容器中の内容物の連続噴射を容易にする構造のエアゾール容器用トリガーキャップ
及びエアゾール装置に関する。
【背景技術】
【０００２】
従来より、エアゾール装置では、安全上等から、噴射ボタンを押し下げてエアゾール容
器内の内容物を噴射し、残留内容物を完全になくしてから廃棄していた。ところが、エア
ゾール容器内の内容物を完全になくすために噴射ボタンを押し続けることは面倒であり、
手も痛くなるなどの問題があった。
そこで、従来のエアゾール装置の中には、噴射ボタンを覆うようにエアゾール容器に着
脱自在に取り付けられるキャップの一部をＵ字状切り込みにより折り曲げ可能な折り曲げ
片とし、残留内容物を完全廃棄する時に折り曲げて、押し下げられた噴射ボタンの上面に
前記折り曲げ片の先端を当接させることによって、前記噴射ボタンを押し下げ状態に保持
する機能を備えたエアゾール用キャップが提案されている（例えば、特許文献１参照）。
【０００３】
【特許文献１】特開２００２−７９１４８公報
【発明の開示】
【発明が解決しようとする課題】
【０００４】
しかしながら、上述した従来のエアゾール用キャップの場合、押し下げられた噴射ボタ
ンの上方に復帰しようとする付勢力に抗して、キャップに形成した折り曲げ片の先端を前
記噴射ボタンの上面に当接させるだけでは、折り曲げ片による係止力を安定して維持する
ことが難しく、噴射ボタンを押し下げ状態に保持して連続噴射することができなくなる可
能性があった。即ち、折り曲げ片が形成されたキャップは、噴射ボタンを覆うようにエア
ゾール容器に着脱自在に取り付けられたものであるので、噴射ボタンの上方に復帰しよう
とする付勢力によりキャップ自体が外れてしまうことがある。
【０００５】
従って、本発明の目的は上記課題を解消することに係り、迅速且つ確実にエアゾール容
器中の内容物を連続噴射することができるエアゾール容器用トリガーキャップ及びエアゾ
ール装置を提供することである。
【課題を解決するための手段】
【０００６】
本発明の上記目的は、ステムの傾斜により内容物を噴射するチルトバルブを備えたエア
ゾール容器のマウンテンカップ部に冠着されるカバー部材と、前記ステムの上端に嵌合さ
せるステム嵌合筒をトリガー本体中央部から垂設し、且つ該トリガー本体前部から射出筒
を前方に突設して、該射出筒下部からトリガーを垂設すると共に、前記トリガー本体後部
を前記カバー部材後部に揺動自在に連結させたトリガー付き噴霧部材と、前記カバー部材
前部に形成した切り込みにより折り曲げ可能に形成され、折り曲げた時前記トリガー付き
噴霧部材の射出筒を押し下げてそれを押し下げ位置に保持する折り曲げ片と、を備えたエ
アゾール容器用トリガーキャップにより達成される。
【０００７】
上記構成のエアゾール容器用トリガーキャップによれば、エアゾール容器中の内容物を
連続噴射する場合、トリガーを介してトリガー付き噴霧部材を下降限まで手動で揺動変位
させた後、カバー部材に形成した折り曲げ片を内方へ略９０度折り曲げると、該折り曲げ
片の端縁が前記トリガー付き噴霧部材の射出筒を押し下げ位置に保持するので、前記トリ
ガー付き噴霧部材から手を離しても、ステムが傾斜された状態に維持されたチルトバルブ
は内容物を連続して噴射することができる。
ここで、前記カバー部材はエアゾール容器のマウンテンカップ部に冠着されており、エ
アゾール容器から容易に脱落することがないので、前記折り曲げ片はチルトバルブの復帰
力に抗して確実にトリガー付き噴霧部材の射出筒を押し下げ位置に保持することができる
。
【０００８】
尚、好ましくは前記折り曲げ片が、前記カバー部材前部の側壁部に形成した切り込みに
より水平方向へ折り曲げ可能に形成されており、該折り曲げ片の下方側端部が前記トリガ
ー付き噴霧部材の射出筒を押し下げることを特徴とする。
【０００９】
又、好ましくは前記折り曲げ片が、前記カバー部材前部の上壁部に形成した切り込みに
より鉛直下へ折り曲げ可能に形成されており、該折り曲げ片の揺動先端部が前記トリガー
付き噴霧部材の射出筒を押し下げることを特徴とする。
【００１０】
更に、本発明の上記目的は、上記構成のエアゾール容器用トリガーキャップを備えたこ
とを特徴とするエアゾール装置により達成される。
この場合、確実にエアゾール容器中の内容物を連続噴射することができるエアゾール装
置を得ることができる。
【発明の効果】
【００１１】
本発明のエアゾール容器用トリガーキャップ及びエアゾール装置によれば、トリガーを
介してトリガー付き噴霧部材を下降限まで手動で揺動変位させた後、カバー部材に形成し
た折り曲げ片を内方へ略９０度折り曲げるだけで、迅速且つ確実にエアゾール容器中の内
容物を連続噴射することができる。
そこで、エアゾール容器を廃棄する際には、エアゾール容器内の残留内容物を完全にな
くすことができる。
【発明を実施するための最良の形態】
【００１２】
以下、添付図面に基づいて本発明の一実施形態に係るエアゾール容器用トリガーキャッ
プ及びエアゾール装置を詳細に説明する。
図１は本発明の第１実施形態に係るエアゾール容器用トリガーキャップを備えたエアゾ
ール装置の部分断面図であり、図２は図１に示したエアゾール容器用トリガーキャップの
上面図及び正面図であり、図３及び図４は図１に示したエアゾール容器用トリガーキャッ
プの連続噴射状態を説明するための断面図及び上面図である。
【００１３】
本第１実施形態に係るエアゾール容器用トリガーキャップ１は、図１乃至図３に示すよ
うに、ステム１７の傾斜により内容物を噴射するチルトバルブを備えたエアゾール容器１
５のマウンテンカップ部１６に冠着されるカバー部材２と、前記ステム１７の上端に嵌合
させるステム嵌合筒１１をトリガー本体１２中央部から垂設し、且つ該トリガー本体１２
前部から射出筒１２ａを前方に突設して、該射出筒１２ａ下部からトリガー１４を垂設す
ると共に、前記トリガー本体１２後部を前記カバー部材２後部に揺動自在に連結させたト
リガー付き噴霧部材９と、を備える。
【００１４】
前記カバー部材２は、円環状の脚部周縁４がエアゾール容器１５のマウンテンカップ部
１６に冠着され、一体に固定されている。
前記トリガー付き噴霧部材９は、前記射出筒１２ａが前記カバー部材２前部に形成され
た開口部５より前方に突出すると共に、トリガー本体１２後部に設けた支軸１０が前記カ
バー部材２後部に回動自在に軸支されている。
又、トリガー本体１２の射出筒１２ａと連通するステム嵌合筒１１は、チルトバルブに
おけるステム１７の上端に嵌合しており、射出筒１２ａの先端部には噴霧ノズル１３が装
着されている。
【００１５】
更に、本第１実施形態のエアゾール容器用トリガーキャップ１は、前記カバー部材２前
部の一方の側壁部６に形成した切り込み８により、水平方向へ折り曲げ可能な折り曲げ片
７が設けられている。尚、該折り曲げ片７の基部には、折り曲げを容易とする薄肉ヒンジ
部７ａが形成されている。
前記折り曲げ片７を形成する切り込み８は、トリガー付き噴霧部材９の下降限まで揺動
変位させられた際の射出筒１２ａの上面と略同等の位置に位置決めされている。
【００１６】
次に、本第１実施形態のエアゾール容器用トリガーキャップ１の動作を説明する。
先ず、噴霧ノズル１３から内容物を噴射させる際には、手動でトリガー１４を後方へ引
き寄せる。トリガー１４が後方へ引き寄せられると、図３に示すように、トリガー付き噴
霧部材９は支軸１０を中心に回動させられ下方へ揺動するので、これと共にステム嵌合筒
１１が容器軸線Ｃに対して傾き、チルトバルブのステム１７を傾斜させる。
【００１７】
ステム１７が傾斜するとチルトバルブが開くので、エアゾール容器１５の内容物がステ
ム１７からステム嵌合筒１１及び射出筒１２ａを経て噴霧ノズル１３から噴出する。
そして、トリガー１４から手を離すと、チルトバルブに内装した図示しないバルブスプ
リングの付勢力により、ステム１７及びトリガー付き噴霧部材９は、図１に示した初期位
置に復帰する。
【００１８】
次に、エアゾール容器１５中の内容物を連続噴射する場合には、トリガー１４を介して
トリガー付き噴霧部材９を下降限まで手動で揺動変位させた後、図３及び図４に示したよ
うに、カバー部材２に形成した折り曲げ片７を水平方向内方へ略９０度折り曲げる。
すると、前記トリガー付き噴霧部材９から手を離しても、折り曲げられた前記折り曲げ
片７の下方側端部が、傾斜した前記射出筒１２ａの上面に当接して該射出筒１２ａを押し
下げ位置に保持することができる。そこで、ステム１７が傾斜された状態に維持されたチ
ルトバルブは、内容物を噴霧ノズル１３から連続して噴射することができる。
【００１９】
ここで、前記カバー部材２は、エアゾール容器１５のマウンテンカップ部１６に冠着さ
れて固定されており、エアゾール容器１５から容易に脱落することがない。
又、前記折り曲げ片７は、トリガー付き噴霧部材９を初期位置に復帰させるバルブスプ
リングの付勢方向に対して折り曲げ方向が交差している。
そこで、折り曲げられた前記折り曲げ片７は、チルトバルブに内装した図示しないバル
ブスプリングの弾性付勢力による復帰力に抗して確実にトリガー付き噴霧部材９の射出筒
１２ａを押し下げ位置に保持することができ、不用意に押し戻されてしまうことがない。
【００２０】
従って、本第１実施形態のエアゾール容器用トリガーキャップ１によれば、トリガー１
４を介してトリガー付き噴霧部材９を下降限まで手動で揺動変位させた後、カバー部材２
に形成した折り曲げ片７を内方へ略９０度折り曲げるだけで、迅速且つ確実にエアゾール
容器１５中の内容物を連続噴射することができる。尚、折り曲げられた前記折り曲げ片７
を手で元の位置まで戻せば、内容物の噴射を停止することも容易である。
【００２１】
そこで、エアゾール容器１５を廃棄する際には、エアゾール容器１５内の残留内容物を
完全になくすことができる。
なお、本第１実施形態においては、折り曲げ片７を一方の側壁部６に形成したが、両側
壁部６，６にそれぞれ折り曲げ片７を設けても良い。
【００２２】
図５は本発明の第２実施形態に係るエアゾール容器用トリガーキャップを備えたエアゾ
ール装置の部分断面図であり、図６は図５に示したエアゾール容器用トリガーキャップの
上面図であり、図７及び図８は図５に示したエアゾール容器用トリガーキャップの連続噴
射状態を説明するための断面図及び上面図である。
尚、上記第１実施形態に係るエアゾール容器用トリガーキャップ１と略同様の構成部材
については、同符号を付して詳細な説明を省略する。
【００２３】
本第２実施形態に係るエアゾール容器用トリガーキャップ２１は、図５及び図６に示す
ように、エアゾール容器１５のマウンテンカップ部１６に冠着されるカバー部材２２と、
該カバー部材２２後部に揺動自在に連結させたトリガー付き噴霧部材９と、を備える。
そして、本第２実施形態のエアゾール容器用トリガーキャップ２１は、前記カバー部材
２２前部の上壁部２３に形成した切り込み一対の切り込み１９，１９により、鉛直下へ折
り曲げ可能な折り曲げ片２７が設けられている。尚、該折り曲げ片２７の基部には、折り
曲げを容易とする薄肉ヒンジ部２７ａが形成されている。
【００２４】
前記折り曲げ片２７は、トリガー付き噴霧部材９の下降限まで揺動変位させられた際の
射出筒１２ａの上面と略同等の位置に、鉛直下へ略９０度折り曲げられた際の揺動先端部
が位置するように長さが設定されている。
そこで、エアゾール容器１５中の内容物を連続噴射する場合には、トリガー１４を介し
てトリガー付き噴霧部材９を下降限まで手動で揺動変位させた後、図７及び図８に示した
ように、カバー部材２２に形成した折り曲げ片２７を鉛直下へ略９０度折り曲げる。
【００２５】
すると、前記トリガー付き噴霧部材９から手を離しても、折り曲げられた前記折り曲げ
片２７の揺動先端部が、傾斜した前記射出筒１２ａの上面に当接して該射出筒１２ａを押
し下げ位置に保持することができる。そこで、ステム１７が傾斜された状態に維持された
チルトバルブは、内容物を噴霧ノズル１３から連続して噴射することができる。
尚、前記射出筒１２ａの上面には、折り曲げられた折り曲げ片２７の不用意な戻りを防
止する為の係止突起２０が突設されており、折り曲げ片２７を容器軸線Ｃと略平行な状態
に係止する。
【００２６】
従って、本第２実施形態のエアゾール容器用トリガーキャップ２１によっても、トリガ
ー１４を介してトリガー付き噴霧部材９を下降限まで手動で揺動変位させた後、カバー部
材２２に形成した折り曲げ片２７を鉛直下へ略９０度折り曲げるだけで、迅速且つ確実に
エアゾール容器１５中の内容物を連続噴射することができる。
【００２７】
尚、本発明のエアゾール容器用トリガーキャップ及びエアゾール装置に係るエアゾール
容器、チルトバルブ、トリガー付き噴霧部材及び折り曲げ片等の構成は、上記各実施形態
の構成に限定されるものではなく、本発明の趣旨に基づいて種々の形態を採りうることは
勿論である。
【図面の簡単な説明】
【００２８】
【図１】本発明の第１実施形態に係るエアゾール容器用トリガーキャップを備えたエアゾール装置の部分断面図である。
【図２】図１に示したエアゾール容器用トリガーキャップの上面図及び正面図である。
【図３】図１に示したエアゾール容器用トリガーキャップの連続噴射状態を説明するための断面図である。
【図４】図１に示したエアゾール容器用トリガーキャップの連続噴射状態を説明するための上面図である。
【図５】本発明の第２実施形態に係るエアゾール容器用トリガーキャップを備えたエアゾール装置の部分断面図である。
【図６】図５に示したエアゾール容器用トリガーキャップの上面図である。
【図７】図５に示したエアゾール容器用トリガーキャップの連続噴射状態を説明するための断面図である。
【図８】図５に示したエアゾール容器用トリガーキャップの連続噴射状態を説明するための上面図である。
【００２９】
１    エアゾール容器用トリガーキャップ
２    カバー部材
４    脚部周縁
５    開口部
６    側壁部
７    折り曲げ片
８    切り込み
９    トリガー付き噴霧部材
１０  支軸
１１  テム嵌合筒
１２  トリガー本体
１３  噴霧ノズル部
１４  トリガー
１５  エアゾール容器
１６  マウンテンカップ部
１７  ステム
Ｃ    容器軸線
【図１】
2005335787.tif 000003
【図２】
2005335787.tif 000004
【図３】
2005335787.tif 000005
【図４】
2005335787.tif 000006
【図５】
2005335787.tif 000007
【図６】
2005335787.tif 000008
【図７】
2005335787.tif 000009
【図８】
2005335787.tif 000010